(57)【要約】  所望の帯域や減衰極を実現することが容易で、広帯域のフィルタ特性を実現可能なストリップラインフィルタの提供を図る。ストリップラインフィルタ（１）は、少なくとも、第１の共振線路（８Ｃ）と第２の共振線路（８Ａ）と第３の共振線路（８Ｂ）とを誘電体基板（３）の第１および第２の側面（３Ａ，３Ｂ）に垂直な方向に配列したものである。ここで、第１の共振線路（８Ｃ）は両端が開放されたものであり、第２および第３の共振線路（８Ａ，８Ｂ）は一端短絡、一端開放の、第１の共振線路（８Ｃ）の両端にそれぞれ結合するものである。そして各共振線路（８Ａ〜８Ｃ）の配列方向での誘電体基板（３）の中心を基準として、第１〜第３の共振線路（８Ａ〜８Ｃ）は対称形で、第２の共振線路（８Ａ）と第３の共振線路（８Ｂ）とは、前記配列方向での誘電体基板３の中心面を通る側面線路（４Ｂ，４Ｅ）を介して、接地電極に導通する。
2009090815.tif 000002
【特許請求の範囲】
【請求項１】
矩形平板状の誘電体基板の下面に設けた接地電極と、前記誘電体基板の上面に設けた複数の共振線路と、前記誘電体基板の側面に設けられて少なくとも前記接地電極に接続される側面線路と、前記接地電極と各共振線路とが構成する共振器のいずれかに結合する入出力電極と、を備え、
少なくとも、両端が開放された第１の共振線路と、前記第１の共振線路の第１端に結合する、一端短絡、一端開放の第２の共振線路と、前記第１の共振線路の第２端に結合する、一端短絡、一端開放の第３の共振線路と、を前記誘電体基板の対向する２側面に垂直な方向に配列したストリップラインフィルタであって、
各共振線路の配列方向での前記誘電体基板の中心を基準として、前記第１〜第３の共振線路は略対称形であり、
各共振線路の配列方向での前記誘電体基板の中心面を通る側面線路を介して、前記第２および第３の共振線路が前記接地電極に導通するストリップラインフィルタ。
【請求項２】
前記第１の共振線路は、前記配列方向での前記誘電体基板の中心を基準として、線対称な形状であり、
前記第２の共振線路と前記第３の共振線路とが、共通の側面線路を介して前記接地電極に導通する請求項１に記載のストリップラインフィルタ。
【請求項３】
前記第１の共振線路は、Ｕ字型形状である請求項２に記載のストリップラインフィルタ。
【請求項４】
前記第１の共振線路は、前記配列方向での前記誘電体基板の中心を基準として、点対称な形状であり、
前記第２の共振線路と前記第３の共振線路とは、対向する側面それぞれに設けられた側面線路を介して、前記接地電極に導通する請求項１に記載のストリップラインフィルタ。
【請求項５】
前記第１の共振線路は、Ｓ字型形状である請求項４に記載のストリップラインフィルタ。
【請求項６】
前記第２の共振線路と前記第３の共振線路とは、
前記中心面に平行する側面のいずれかに形成された側面線路を介して、前記入出力電極に導通する、請求項１〜５のいずれかに記載のストリップラインフィルタ。
【請求項７】
前記複数の共振線路から分離された複数の側面線路を備え、
これらの側面線路を、前記誘電体基板の前記配列方向の中心を基準として、対称に配置した、請求項１〜６のいずれかに記載のストリップラインフィルタ。
【請求項８】
前記誘電体基板の上面の電極は感光性電極であり、前記誘電体基板の下面および側面の電極は非感光性電極である請求項１〜７のいずれかに記載のストリップラインフィルタ。
【発明の詳細な説明】
【技術分野】
【０００１】
この発明は、誘電体基板にストリップラインを設けたストリップラインフィルタに関する。
【背景技術】
【０００２】
フィルタの小型化のために、Ｕ字状又はＳ字状のストリップラインを設けたストリップラインフィルタが考案されている。（特許文献１および２参照。）。【０００３】
図１に従来のストリップラインフィルタの構成例を示す。ストリップラインフィルタ１０１は、３つの共振器を利用したフィルタである。３つの共振器それぞれは誘電体基板の同一主面に設けられた線路１０２，１０３Ａ，１０３Ｂにより構成されている。線路１０２はＵ字型に湾曲した形状であり、その両端が開放されている。線路１０３Ａ，１０３Ｂは一端が接地電極１０５に接続されたＩ字型形状であり、先端が開放されている。これらの共振器間はインターディジタル結合していて、線路１０３Ａ，１０３Ｂには、入出力伝送線路１０４Ａ，１０４Ｂがそれぞれ接続されている。
【特許文献１】特開２００１−３５８５０１号公報
【特許文献１】特開２００２−１５１９０８号公報
【発明の開示】
【発明が解決しようとする課題】
【０００４】
従来のストリップラインフィルタでは、素子サイズなどの要求によって、ストリップラインの線路長や共振器間の結合度の設定に制約が生じることがあった。例えば、共振器長が適切でも、その共振器と他の共振器との間隔が適切にならないことや、共振器間の間隔が適切でも、各共振器の共振器長が適切にならないことがあり、所望の帯域や減衰極を有するフィルタ特性を得られないことがあった。【０００５】
この問題は３段以上の共振器を結合させる場合に顕著であり、一組の共振器間の結合と共振器長を設定しようすると、もう一組の共振器間での結合に大きな影響を与えてしまい、各共振器の共振器長と共振器間の結合とを満足させることが困難なことがあった。また、ストリップラインフィルタを広帯域化するためには、複数の共振器間を強く結合させる必要があり、このことも制約となっていた。【０００６】
また、１／４波長共振器を構成する共振線路の場合には、接地電極との接続を確保する必要があるが、そのための引出電極などが、隣接する他の共振器に電磁気的作用を及ぼし、その共振器での結合や共振器長に影響を及ぼすこともあった。【０００７】
そこでこの発明の目的は、所望の帯域や減衰極を実現することが容易で、広帯域のフィルタ特性を実現可能なストリップラインフィルタを提供することにある。
【課題を解決するための手段】
【０００８】
この発明のストリップラインフィルタは接地電極と複数の共振線路と側面線路と入出力電極とを備え、少なくとも、第１の共振線路と第２の共振線路と第３の共振線路とを誘電体基板の対向する２側面に垂直な方向に配列したものである。ここで、第１の共振線路は両端が開放されたものであり、第２および第３の共振線路は一端短絡、一端開放の、第１の共振線路の両端にそれぞれ結合するものである。そして各共振線路の配列方向での誘電体基板の中心を基準として、第１〜第３の共振線路は略対称形で、第２の共振線路と第３の共振線路とは、前記配列方向での誘電体基板の中心面を通る側面線路を介して、接地電極に導通する構成である。【０００９】
この構成では、誘電体基板の中心に両端開放の共振線路を配置するので、第２および第３の共振線路を誘電体共振器の中心面を通る側面線路を介して接地電極に導通させることができ、第１〜第３の共振線路の電極形成面積を抑制しながら、第２および第３の共振線路の線路長を長くすることができる。また、第２および第３の共振線路と接地電極とを導通させる側面線路が中心面を通るので、この側面線路から第１の共振線路におよぶ影響が抑制され、第１の共振線路の電磁界の設定が容易なものになる。【００１０】
第１の共振線路は、前記配列方向での誘電体基板の中心を基準として、線対称な形状であり、第２の共振線路と第３の共振線路とが、共通の側面線路を介して接地電極に導通してもよい。この場合、第１の共振線路は、Ｕ字型形状であってもよい。【００１１】
第１の共振線路は、前記配列方向での誘電体基板の中心を基準として、点対称な形状であり、第２の共振線路と第３の共振線路とは、対向する側面それぞれに設けられた側面線路を介して、接地電極に導通してもよい。この場合、第１の共振線路は、Ｓ字型形状であってもよい。【００１２】
第２の共振線路と第３の共振線路とは、前記中心面に平行する側面のいずれかに形成された側面線路を介して、入出力電極に導通してもよい。【００１３】
複数の共振線路から分離された複数の側面線路を備え、これらの側面線路を配列方向での誘電体基板の中心を基準として対称に配置してもよい。【００１４】
誘電体基板の上面の電極は感光性電極であり、誘電体基板の下面および側面の電極は非感光性電極であってもよい。
【発明の効果】
【００１５】
この発明によれば、第２および第３の共振線路が誘電体共振器の中心面を通る側面線路を介して接地電極と導通するので、第１〜第３の共振線路の電極形成面積を抑制しながら、第２および第３の共振線路を側面中央まで引き回して、共振器長を長くすることができ、また、この側面線路から第１の共振線路におよぶ影響が抑制される。したがって、広帯域のフィルタ特性であっても、容易に所望の帯域や減衰極を実現することができる。
【図面の簡単な説明】
【００１６】
【図１】従来のストリップラインフィルタの構成例を説明する図である。
【図２】実施形態に係るストリップラインフィルタの上面側の内観斜視図である。
【図３】同ストリップラインフィルタの下面側の斜視図である。
【図４】同ストリップラインフィルタの製造工程を説明する図である。
【図５】同ストリップラインフィルタのフィルタ特性の例を説明する図である。
【図６】ストリップラインフィルタの他の構成例を説明する図である。
【図７】ストリップラインフィルタの他の構成例を説明する図である。
【図８】同ストリップラインフィルタのフィルタ特性の例を説明する図である。
【図９】ストリップラインフィルタの他の構成例を説明する図である。
【符号の説明】
【００１７】
１，２１，３１，４１…ストリップラインフィルタ
３…誘電体基板
３Ａ〜３Ｄ…側面
４Ａ〜４Ｆ…側面線路
５Ａ，５Ｂ…側面引出電極
６Ａ，６Ｂ…入出力電極
７…接地電極
８Ａ，８Ｂ…１／４波長共振線路
８Ｃ…１／２波長共振線路
１０Ａ，１０Ｂ…上面引出電極
１３Ａ〜１３Ｇ…線路部
１９…中心面
３２…共通線路部
【発明を実施するための最良の形態】
【００１８】
以下、本発明の実施形態に係るストリップラインフィルタの構成例を説明する。【００１９】
ここで示すストリップラインフィルタは帯域通過型のフィルタであり、４GＨｚ以上の高周波帯に対応するＵＷＢ通信に利用される。【００２０】
図２は、ストリップラインフィルタの上面側の内観斜視図であり、図３は同ストリップラインフィルタの下面側の斜視図である。【００２１】
ストリップラインフィルタ１は、誘電体基板３を備える。基板３は酸化チタン等からなる比誘電率が約１１１の小型直方体状のセラミック焼結基板である。基板３の組成および寸法は周波数特性などを考慮して適宜設定している。なお、誘電体基板３上には、ストリップラインフィルタ１の機械的保護、耐環境性向上などを目的として図示していないガラス層を積層する。【００２２】
ストリップラインフィルタ１の、図２中に示す側面には側面線路４Ａ〜４Ｃと側面引出電極５Ａとを設けている。また、側面線路４Ａ〜４Ｃを設けた側面３Ｃ（以下、第３の側面と称する。）に対向する側面３Ｄ（以下、第４の側面と称する。）には、図３中に示す側面線路４Ｄ〜４Ｆを側面線路４Ａ〜４Ｃと合同な形状で設けている。側面引出電極５Ａを設けた側面３Ａ（以下、第１の側面と称する。）に対向する側面３Ｂ（以下、第２の側面と称する。）には、図示していない側面引出電極５Ｂを側面引出電極５Ａと合同な形状で設けている。なお、図中の破線は、誘電体基板３の中心面である。【００２３】
誘電体基板３の下面は、このストリップラインフィルタ１の実装面であり、接地電極７と入出力電極６Ａ，６Ｂとを備えている。入出力電極６Ａ，６Ｂは、このストリップラインフィルタ１を実装基板に実装する際に、高周波信号入出力端子に接続される。接地電極７は共振器のグランド面であり、実装基板の接地電極に接続される。【００２４】
接地電極７は誘電体基板３の下面の略全面に設けられていて、入出力電極６Ａ，６Ｂは接地電極７に設けられた電極非形成部に、入出力電極６Ａ，６Ｂから分離して設けられている。接地電極７には、側面線路４Ａ〜４Ｆが接続されている。入出力電極６Ａには側面引出電極５Ａが接続されている。入出力電極６Ｂには側面引出電極５Ｂが接続されている。これらの電極は厚み約１２μｍ以上の銀電極であり、基板３にスクリーンマスクまたはメタルマスクを用いて非感光性の銀ペーストを塗布し、焼成してなる。【００２５】
誘電体基板３の上面には、上面引出電極１０Ａ，１０Ｂと１／４波長共振線路８Ａ，８Ｂと１／２波長共振線路８Ｃとが設けられている。１／２波長共振線路８Ｃは１／４波長共振線路８Ａと１／４波長共振線路８Ｂとの間に配置されている。これらの電極は厚み約５μｍ以上の銀電極であり、基板３に感光性銀ペーストを塗布し、フォトリソグラフィプロセスによりパターン形成し、焼成してなる。これらの電極を感光性銀電極とすることによって、電極の形状精度を高めて、ＵＷＢ通信に利用可能なストリップラインフィルタとしている。【００２６】
共振線路８Ａ〜８Ｃは、側面引出電極５Ａ，５Ｂそれぞれを設けた側面に垂直な方向に配列されている。したがって、１／２波長共振線路８Ｃは、第１の共振線路に相当し、１／４波長共振線路８Ａは第２の共振線路に相当し、１／４波長共振線路８Ｂは第３の共振線路に相当する。【００２７】
１／４波長共振線路８Ａは、Ｌ字型線路部１２Ａを備えている。Ｌ字型線路部１２Ａは、第１の側面３Ａに沿って延設され上面引出電極１０Ａが接続された部位と、第４の側面３Ｄに沿って延設され側面線路４Ｅが接続された部位と、から構成されている。したがって共振線路８Ａは一端開放、一端短絡の１／４波長共振線路となっている。【００２８】
１／４波長共振線路８Ｂは、Ｌ字型線路部１２Ｂを備えている。Ｌ字型線路部１２Ｂは、第２の側面３Ｂに沿って延設され上面引出電極１０Ｂが接続された部位と、第３の側面３Ｃに沿って延設され側面線路４Ｂが接続された部位と、から構成されている。したがって共振線路８Ｂは一端開放、一端短絡の１／４波長共振線路となっている。【００２９】
上面引出電極１０Ａ，１０Ｂは、それぞれ、側面引出電極５Ａ，５Ｂに接続されている。これにより、共振線路８Ａの構成する共振器と入出力電極６Ａとがタップ結合し、共振線路８Ｂの構成する共振器と入出力電極６Ｂとがタップ結合し、強い外部結合を得ることができる。【００３０】
１／２波長共振線路８Ｃは、線路部１３Ａ〜１３Ｇを備えたＳ字形状の電極である。線路部１３Ａは、共振線路８ＡのＬ字型線路部１２Ａに沿って、第４の側面３Ｄに平行に延設されている。線路部１３Ｂは、線路部１３Ａに接続され、共振線路８ＡのＬ字型線路部１２Ａに沿って、第１の側面３Ａに平行に延設されている。線路部１３Ｃは、線路部１３Ｂに接続され、第３の側面３Ｃに平行に延設されている。線路部１３Ｇは、共振線路８ＢのＬ字型線路部１２Ｂに沿って、第３の側面３Ｃに平行に延設されている。線路部１３Ｆは、線路部１３Ｇに接続され、共振線路８ＢのＬ字型線路部１２Ｂに沿って、第２の側面３Ｂに平行に延設されている。線路部１３Ｅは、線路部１３Ｆに接続され、第４の側面３Ｄに平行に延設されている。線路部１３Ｄは、線路部１３Ｃと線路部１３Ｅとの間に接続されている。したがって、共振線路８Ｃは、両端開放の１／２波長共振線路となっている。【００３１】
側面線路４Ａ，４Ｃ，４Ｄ，４Ｆは、それぞれダミー電極を構成する。これらのダミー電極は、ストリップラインフィルタ１の回路構成には不要であるが、ストリップラインフィルタ１の対向する側面での電極形状を合同なものにするために設けている。ここでは、側面の中心に側面電極の中心を一致させながら、ダミー電極によっての電極形状を合同にしているので、複数の誘電体基板に対する側面電極の電極形成工程にて、各誘電体基板を治具に振り込む際に姿勢制御する必要がなく、側面３Ｃ，３Ｄのいずれかの面に対して同一工程で電極を形成し、反対側の側面に対しても次の工程で電極を形成することができる。また、異なる回路構成のチップ素子であっても、同一の基板サイズと同一の側面電極形状で構成する場合に、側面への電極形成工程を共通化できる。【００３２】
なお、各側面での電極厚みを上面での電極厚みよりは厚いものにしているので、一般に電流集中が生じる接地端側の部位での電流を分散させ、導体ロスを低減させている。この構成によって、このストリップラインフィルタ１は挿入損失が小さい素子になっている。【００３３】
以上の構成により、ストリップラインフィルタ１は、３段の共振器が結合した帯域通過フィルタとなる。ここで、共振線路８Ａ，８Ｂの開放端と共振線路８Ｃの開放端とを逆側に向かせて、これらの共振線路の構成する共振器を互いにインターディジタル結合させている。そのため、共振器間の結合が強くなり、ストリップラインフィルタ１の通過帯域を広帯域化できる。【００３４】
さて、誘電体基板３の上面の電極は、誘電体基板３の中心面１９を基準とした点対称（な構成となっている。そのため、共振線路８Ａ，８Ｃ間での結合度と、共振線路８Ｂ，８Ｃ間での結合度とが等しくなっている。そのため、共振線路８Ａによる電磁界の設定が容易である。【００３５】
また、側面線路４Ｂ，４Ｅが誘電体基板３の中心面１９を通り、第３の側面３Ｃ、および、第４の側面３Ｄそれぞれでの電極が、誘電体基板３の中心面１９を基準とした点対称な構成となっている。１／２波長共振線路８Ｃを３段の共振器の中央に設けているので、共振線路８Ｃの電磁界には、側面線路４Ａ〜４Ｆによる影響がほとんど及ばない。そのため、仮に側面線路４Ａ〜４Ｆの位置などがばらついても、ストリップラインフィルタ１のフィルタ特性は、バラツキに強いものになる。【００３６】
次に、ストリップラインフィルタ１の製造工程を説明する。【００３７】
図４は、ストリップラインフィルタ１の製造工程を説明するフローである。【００３８】
（Ｓ１）まず、いずれの面にも電極を形成していない誘電体母基板を用意する。【００３９】
（Ｓ２）次に、上記誘電体母基板に対して、下面に導電体ペーストをスクリーン印刷またはメタルマスク印刷し、焼成を経て接地電極７および入出力電極６Ａ，６Ｂを形成する。【００４０】
（Ｓ３）次に、誘電体母基板に対して、上面に感光性導電体ペーストを印刷し、露光、現像するフォトリソグラフィプロセスを経て、焼成により共振線路８Ａ〜８Ｃ上面引出電極１０Ａ，１０Ｂとを形成する。フォトリソグラフィプロセスでは、電極を３０μｍ程度まで細線化でき、極めて高い位置精度で電極を形成できる。【００４１】
（Ｓ４）次に、誘電体母基板の上面側にガラスペーストを印刷し、焼成を経て透明なガラス層を形成する。この工程によりガラス層が形成される。【００４２】
（Ｓ５）次に、上記のようにして構成した誘電体母基板からダイシングなどにより多数の誘電体基板３を切り出す。【００４３】
（Ｓ６）次に、誘電体基板３を配列して、所定パターンのメタルマスクまたはスクリーンマスクにより導電体ペーストを印刷する印刷プロセスを経て、焼成により電極を形成する。この印刷プロセスを各側面に実施することで、側面引出電極５Ａ，５Ｂと、側面線路４Ａ〜４Ｆと、が形成される。この印刷プロセスでは、電極は１００μｍ程度までしか細線化できず、フォトリソグラフィプロセスに比べて低い位置精度でしか電極を形成できないが、低コストに電極を形成できる。【００４４】
以上の工程により、ストリップラインフィルタ１は製造されている。【００４５】
図５は、ストリップラインフィルタ１のフィルタ特性の例を説明する図である。ここで示すフィルタ特性はシミュレーションの結果である。シミュレーションでは、側面線路４Ｂ，４Ｅを側面線路４Ａ，４Ｆ側に１００μｍだけずらした場合との比較を行った。図中の実線は側面線路４Ｂ，４Ｅを基板中央に配置した場合、図中の破線は側面線路４Ｂ，４Ｅを基板中央からずらした場合を示している。なお、側面線路４Ｂ，４Ｅをずらす場合には、反射特性の整合のために１／２波長共振線路８Ｃの電極長を９０μｍ伸ばしている。【００４６】
同図（Ａ）のグラフ横軸は周波数を、縦軸は減衰量を示している。側面線路４Ｂ，４Ｅを基板中央に配置した場合、各共振線路の線路長が伸びるため、共振周波数が約５００ＭＨｚ低下し、７．１７ＧＨｚから６．６８ＧＨｚになった。【００４７】
同図（Ｂ）は、側面線路４Ｂ，４Ｅをずらした場合の特性を５００ＭＨｚだけ高周波数側ずらして表示している。３ｄＢ帯域幅を比較すると、側面線路４Ｂ，４Ｅを基板中央に配置した場合、帯域幅は約２９９９ＭＨｚから約２６８２ＭＨｚに狭まった。この帯域幅の狭まりは、側面線路４Ｂ，４Ｅのずれにより、共振線路８Ａ，８Ｂと共振線路８Ｃとの間で余分なカップリングが生じたためと考えられる。したがって、広帯域を必要とするストリップラインフィルタの場合、１／４波長共振線路を接地させる側面線路は、基板中心面を通る位置に配置することが好ましいといえる。【００４８】
次に、本発明の他の実施形態を説明する。【００４９】
図６は、ストリップラインフィルタの他の構成例を説明する図である。同図中、ストリップラインフィルタ１と同様な構成には同一の符号を付している。【００５０】
ストリップラインフィルタ２１は、ストリップラインフィルタ１と共振線路８Ｃの形状が相違する。具体的には共振線路８Ｃがストリップラインフィルタ１の１／２波長共振線路の鏡像になっている。このため、ストリップラインフィルタ２１は共振線路がコムライン結合する３段のフィルタを構成している。【００５１】
このような構成であっても、共振線路８Ａ，８Ｃ間での結合度と、共振線路８Ｂ，８Ｃ間での結合度とが等しく、共振線路８Ｃの電磁界には、側面線路４Ａ〜４Ｆによる影響がほとんど及ばないため、共振線路８Ｃの電磁界の設定が容易になり、仮に側面線路４Ａ〜４Ｆの位置などがばらついても、ストリップラインフィルタ１のフィルタ特性は、バラツキに強いものになる。【００５２】
図７は、ストリップラインフィルタの他の構成例を説明する図である。同図中、ストリップラインフィルタ１と同様な構成には同一の符号を付している。【００５３】
このストリップラインフィルタ３１では、１／２波長共振線路８Ｃは、線路部３３Ａ〜３３Ｇを備えている。線路部３３Ｄは、第４の側面に沿って延設されている。線路部３３Ｃ，３３Ｅは線路部３３Ｄの両端から垂直に屈曲して延設されている。線路部３３Ｂ，３３Ｆはそれぞれ線路部３３Ｃ，３３Ｅの先端から誘電体基板３の垂直に屈曲して延設されている。線路部３３Ａ，３３Ｇはそれぞれ線路部３３Ｂ，３３Ｆの先端から垂直に屈曲して延設され、先端が開放されている。したがって、共振線路８Ｃは、両端開放の１／２波長共振線路となっている。ここでは、１／２波長共振線路８Ｃを複数回内側に折り返したＵ字型形状とすることで、線路長を稼いでいる。【００５４】
１／４波長共振線路８Ａは、Ｌ字型線路部３２Ａを備えている。１／４波長共振線路８Ｂは、Ｌ字型線路部３２Ｂを備えている。Ｌ字型線路部３２Ａ，３２Ｂは、それぞれの基端が共通線路部３２に接続されている。共通線路部３２は側面線路４Ｂに接続されている。したがって、共振線路８Ａ，８Ｂは、一端開放、一端短絡の１／４波長共振線路となっている。【００５５】
以上の構成により、ストリップラインフィルタ３１は、３段の共振器が結合した帯域通過フィルタとなる。ここで、共振線路８Ａ，８Ｂの開放端と共振線路８Ｃの開放端とを逆側に向かせて、これらの共振線路の構成する共振器を互いにインターディジタル結合させている。そのため、共振器間の結合が強くなり、ストリップラインフィルタ１の通過帯域を広帯域化できる。図８に、ストリップラインフィルタ３１のフィルタ特性を示す。【００５６】
さて、誘電体基板３の上面の電極は、誘電体基板３の中心面１９を基準とした線対称な構成となっている。そのため、共振線路８Ａ，８Ｃ間での結合度と、共振線路８Ｂ，８Ｃ間での結合度とが等しくなっている。そのため、共振線路８Ｃの電磁界の設定が容易である。【００５７】
また、側面線路４Ｂ，４Ｅが誘電体基板３の中心面１９を通り、第３の側面３Ｃ、および、第４の側面３Ｄそれぞれでの電極が、誘電体基板３の中心面１９を基準とした線対称な構成となっている。１／２波長共振線路８Ｃを３段の共振器の中央に設けているので、共振線路８Ｃの電磁界には、側面線路４Ａ〜４Ｆによる影響がほとんど及ばない。そのため、仮に側面線路４Ａ〜４Ｆの位置などがばらついても、ストリップラインフィルタ１のフィルタ特性は、バラツキに強いものになる。【００５８】
図９は、ストリップラインフィルタの他の構成例を説明する図である。同図中、ストリップラインフィルタ３１と同様な構成には同一の符号を付している。【００５９】
ストリップラインフィルタ４１は、ストリップラインフィルタ３１と共振線路８Ｃの形状が相違する。具体的には共振線路８Ｃを１８０°回転させた形状になっている。このため、ストリップラインフィルタ４１は共振線路がコムライン結合する３段のフィルタを構成している。【００６０】
このような構成であっても、共振線路８Ａ，８Ｃ間での結合度と、共振線路８Ｂ，８Ｃ間での結合度とが等しく、共振線路８Ｃの電磁界には、側面線路４Ａ〜４Ｆによる影響がほとんど及ばないため、共振線路８Ｃの電磁界の設定が容易になり、仮に側面線路４Ａ〜４Ｆの位置などがばらついても、ストリップラインフィルタ１のフィルタ特性は、バラツキに強いものになる。【００６１】
なお、上記した実施形態での上面共振線路や引出電極の配置位置や形状は製品仕様に応じたものであり、製品仕様に応じたどのような配置位置や形状であっても良い。本発明は上記構成以外であっても適用でき、多様なフィルタのパターン形状に採用できる。また、このフィルタに、他の構成（高周波回路）をさらに配しても良い。
【図１】
2009090815.tif 000003
【図２】
2009090815.tif 000004
【図３】
2009090815.tif 000005
【図４】
2009090815.tif 000006
【図５】
2009090815.tif 000007
【図６】
2009090815.tif 000008
【図７】
2009090815.tif 000009
【図８】
2009090815.tif 000010
【図９】
2009090815.tif 000011
【国際調査報告】
2009090815.tif 000012
2009090815.tif 000013
2009090815.tif 000014
2009090815.tif 000015